(57)【要約】【課題】印刷品質を犠牲にすることなく、かつ、作業者の熟練度に左右されずに、かつ、捨て網を生成するための余白部分を必要とせずに、ゴーストの発生を回避可能な面付テンプレートを決定することができる面付装置等を実現することを課題とする。【解決手段】ページデータをレイアウトするための面付テンプレートであって、同一の製品が得られる複数の前記面付テンプレートを生成し、前記ページデータと前記複数の面付テンプレートに基づいて、刷版における印刷媒体（例えば、印刷用紙、印刷用フィルム）の幅方向を所定の間隔で区分して成る複数の帯領域の絵柄面積率を夫々計算し、前記面付テンプレート毎に、前記複数の帯領域の各絵柄面積率の最大値と最小値の差分を夫々計算し、前記各面付テンプレートのうち、前記差分が最も小さい前記面付テンプレートを前記製品を得るための面付テンプレートとして決定する。【選択図】図８
2011003092.tif 000002
【特許請求の範囲】
【請求項１】
ページデータをレイアウトするための面付テンプレートであって、同一の製品が得られる複数の前記面付テンプレートを生成する生成手段と、
前記ページデータと前記複数の面付テンプレートに基づいて、刷版における印刷媒体の幅方向を所定の間隔で区分して成る複数の帯領域の絵柄面積率を夫々計算する絵柄面積率計算手段と、
前記面付テンプレート毎に、前記複数の帯領域の各絵柄面積率の最大値と最小値の差分を夫々計算する差分計算手段と、
前記各面付テンプレートのうち、前記差分が最も小さい前記面付テンプレートを前記製品を得るための面付テンプレートとして決定する決定手段と、
を有することを特徴とする面付装置。
【請求項２】
前記ページデータを、前記生成手段により生成された前記複数の面付テンプレートの夫々に従ってレイアウトし、刷版候補イメージデータを夫々作成する作成手段を有し、
前記絵柄面積率計算手段は、前記作成手段にて作成された各前記刷版候補イメージデータに基づいて、刷版における印刷媒体の幅方向を所定の間隔で区分して成る複数の帯領域の絵柄面積率を夫々計算し、
前記差分計算手段は、前記刷版候補イメージデータ毎に、前記複数の帯領域の各絵柄面積率の最大値と最小値の差分を夫々計算し、
前記決定手段は、前記各刷版候補イメージデータのうち、前記差分が最も小さい前記刷版候補イメージデータを選択し、当該選択された刷版候補イメージデータの元となる前記面付テンプレートを、前記製品を得るための面付テンプレートとして決定することを特徴とする請求項１に記載の面付装置。
【請求項３】
前記複数の面付テンプレートについて、前記差分の最大値が最も小さいほうから順に優先順位を設定する設定手段と、
前記複数の面付テンプレートについて、前記設定手段により設定された優先順位と、当該面付テンプレートを前記製品を得るための面付テンプレートとして決定した場合に、後工程にて行なうべき作業情報と、を対応付けて表示する表示手段と、
前記複数の面付テンプレートのうち、一の前記面付テンプレートの選択入力を受け付ける入力手段と、
を有し、
前記決定手段は、前記入力手段にて受け付けた面付テンプレートを、前記製品を得るための面付テンプレートとして決定することを特徴とする請求項１または請求項２に記載の面付装置。
【請求項４】
前記ページデータのページ毎の絵柄面積率を記憶する記憶手段を有し、
前記絵柄面積率計算手段は、前記記憶手段に記憶されたページ毎の絵柄面積率と、前記複数の面付テンプレートに基づいて、刷版における印刷媒体の幅方向を所定の間隔で区分して成る複数の帯領域の絵柄面積率を夫々計算することを特徴とする請求項１乃至請求項３の何れか一項に記載の面付装置。
【請求項５】
コンピュータを、請求項１乃至請求項４のいずれか一項に記載の面付装置として機能させることを特徴とする面付テンプレート決定プログラム。
【請求項６】
ページデータをレイアウトするための面付テンプレートを決定する面付装置における面付テンプレート決定方法であって、
前記面付装置が、
同一の製品が得られる複数の前記面付テンプレートを生成するステップと、
前記ページデータと前記複数の面付テンプレートに基づいて、刷版における印刷媒体の幅方向を所定の間隔で区分して成る複数の帯領域の絵柄面積率を夫々計算するステップと、
前記面付テンプレート毎に、前記複数の帯領域の各絵柄面積率の最大値と最小値の差分を夫々計算するステップと、
前記各面付テンプレートのうち、前記差分が最も小さい前記面付テンプレートを前記製品を得るための面付テンプレートとして決定するステップと、
を有することを特徴とする面付テンプレート決定方法。
【発明の詳細な説明】
【技術分野】
【０００１】
本発明は、印刷の技術分野に属し、特にページデータをレイアウトするための面付テンプレートの決定方法等に関する。
【背景技術】
【０００２】
雑誌、単行本、などの冊子形態である印刷物（本）は、下記の工程で製作される。
＜１＞台割り表の作成（営業や企画段階で作成）
＜２＞本の製造仕様（製版情報）と印刷機・折機（刷版情報）の仕様に基づいて、面付けのレイアウトを作成する
＜３＞刷版データを作成し刷版を作成
＜４＞印刷・折・製本
【０００３】
ところで、＜２＞の工程は「面付け工程」と呼ばれている。この面付け工程では、＜１＞の工程にて作成された台割り表（本の１ページ目に本文の１ページ目、本の２ページ目に本文の２ページ目、本の３、４ページ目に広告ページ、本の５ページ目に本文の３ページ目等の対応表）に基づいて、＜４＞の工程で最終的に用紙が折り畳まれたときに、第１ページから最終ページまで正しく通しページとなるように、刷版上の正しい位置に各ページデータをレイアウトするための面付けレイアウトを作成する工程である。例えば、本願出願人による特許出願（特許文献１）に、面付け工程を自動で行なう面付装置が開示されている。
【０００４】
ところで、印刷絵柄において、紙（又はフィルム）の左右方向に大きな濃度差がある場合がある。紙の左右方向とは、印刷工程における紙の搬送方向に直交する方向であり、紙の幅方向と呼ばれることもある。
【０００５】
紙の左右方向に濃度差があると、そのインキ消費量の差から、ゴーストと呼ばれる印刷絵柄にない濃淡（濃度ムラ）が印刷物上に発生してしまうことがある。このようなゴーストの発生を回避するために、印刷工程において紙の左右方向のインキ供給量の分布を調整し湿し水の供給量を調節することが行なわれている。
【０００６】
しかし、印刷工程におけるインキや湿し水の調整は、他の部位の印刷品質を犠牲にしながらゴーストを目立たなくする背反処理となるため、その効果には限度がある。
【０００７】
また、本願出願人による特許出願（特許文献２）に記載されたゴースト消去方法では、ゴーストが発生する場所の余白部分に、捨て網と呼ばれる印刷部分を付加し、左右方向における濃度差を減少させることで、ゴーストの発生を抑えている。
【０００８】
また、本願出願人による特許出願（特許文献３）には、ページ毎に絵柄面積を求めて刷版全体の絵柄面積率を算出し、適切な捨て網を短時間で生成する手法が開示されている。
【先行技術文献】
【特許文献】
【０００９】
【特許文献１】特開２０００−３２６４７３号公報
【特許文献２】特開２００１−２３２９２５号公報
【特許文献３】特開２００３−７２０２８号公報
【発明の概要】
【発明が解決しようとする課題】
【００１０】
しかし、余白部分に捨て網を付加する場合、捨て網を付加するための十分な余白部分が必要となる。また、紙の幅方向における濃度差が非常に大きい場合には、捨て網を付加するだけでは十分な効果が望めない場合もある。
【００１１】
本発明はこのような課題を解決するためになされたものであり、印刷品質を犠牲にすることなく、かつ、作業者の熟練度に左右されずに、かつ、捨て網を生成するための余白部分を必要とせずに、ゴースト（濃度ムラ）の発生を回避可能な面付テンプレートを決定することができる面付装置等を実現することを目的とする。
【課題を解決するための手段】
【００１２】
上記課題を解決すべく、請求項１に記載の発明は、ページデータをレイアウトするための面付テンプレートであって、同一の製品が得られる複数の前記面付テンプレートを生成する生成手段と、前記ページデータと前記複数の面付テンプレートに基づいて、刷版における印刷媒体（例えば、印刷用紙、印刷用フィルム）の幅方向を所定の間隔で区分して成る複数の帯領域の絵柄面積率を夫々計算する絵柄面積率計算手段と、前記面付テンプレート毎に、前記複数の帯領域の各絵柄面積率の最大値と最小値の差分を夫々計算する差分計算手段と、前記各面付テンプレートのうち、前記差分が最も小さい前記面付テンプレートを前記製品を得るための面付テンプレートとして決定する決定手段と、を有することを特徴とする面付装置である。
【００１３】
上記課題を解決すべく、請求項２に記載の発明は、前記ページデータを、前記生成手段により生成された前記複数の面付テンプレートの夫々に従ってレイアウトし、刷版候補イメージデータを夫々作成する作成手段を有し、前記絵柄面積率計算手段は、前記作成手段にて作成された各前記刷版候補イメージデータに基づいて、刷版における印刷媒体の幅方向を所定の間隔で区分して成る複数の帯領域の絵柄面積率を夫々計算し、前記差分計算手段は、前記刷版候補イメージデータ毎に、前記複数の帯領域の各絵柄面積率の最大値と最小値の差分を夫々計算し、前記決定手段は、前記各刷版候補イメージデータのうち、前記差分が最も小さい前記刷版候補イメージデータを選択し、当該選択された刷版候補イメージデータの元となる前記面付テンプレートを、前記製品を得るための面付テンプレートとして決定することを特徴とする請求項１に記載の面付装置である。
【００１４】
上記課題を解決すべく、請求項３に記載の発明は、前記複数の面付テンプレートについて、前記差分の最大値が最も小さいほうから順に優先順位を設定する設定手段と、前記複数の面付テンプレートについて、前記設定手段により設定された優先順位と、当該面付テンプレートを前記製品を得るための面付テンプレートとして決定した場合に、後工程にて行なうべき作業情報と、を対応付けて表示する表示手段と、前記複数の面付テンプレートのうち、一の前記面付テンプレートの選択入力を受け付ける入力手段と、を有し、前記決定手段は、前記入力手段にて受け付けた面付テンプレートを、前記製品を得るための面付テンプレートとして決定することを特徴とする請求項１または請求項２に記載の面付装置である。
【００１５】
上記課題を解決すべく、請求項４に記載の発明は、前記ページデータのページ毎の絵柄面積率を記憶する記憶手段を有し、前記絵柄面積率計算手段は、前記記憶手段に記憶されたページ毎の絵柄面積率と、前記複数の面付テンプレートに基づいて、刷版における印刷媒体の幅方向を所定の間隔で区分して成る複数の帯領域の絵柄面積率を夫々計算することを特徴とする請求項１乃至請求項３の何れか一項に記載の面付装置である。
【００１６】
上記課題を解決すべく、請求項５に記載の発明は、コンピュータを、請求項１乃至請求項４のいずれか一項に記載の面付装置として機能させることを特徴とする面付テンプレート決定プログラムである。
【００１７】
上記課題を解決すべく、請求項６に記載の発明は、ページデータをレイアウトするための面付テンプレートを決定する面付装置における面付テンプレート決定方法であって、前記面付装置が、同一の製品が得られる複数の前記面付テンプレートを生成するステップと、前記ページデータと前記複数の面付テンプレートに基づいて、刷版における印刷媒体の幅方向を所定の間隔で区分して成る複数の帯領域の絵柄面積率を夫々計算するステップと、前記面付テンプレート毎に、前記複数の帯領域の各絵柄面積率の最大値と最小値の差分を夫々計算するステップと、前記各面付テンプレートのうち、前記差分が最も小さい前記面付テンプレートを前記製品を得るための面付テンプレートとして決定するステップと、を有することを特徴とする面付テンプレート決定方法である。
【発明の効果】
【００１８】
本発明によれば、印刷品質を犠牲にすることなく、かつ、作業者の熟練度に左右されずに、かつ、捨て網を生成するための余白部分を必要とせずに、ゴースト（濃度ムラ）の発生を回避することができる面付テンプレートを自動で決定できる面付装置等を提供することができる。
【図面の簡単な説明】
【００１９】
【図１】面付装置１０におけるデータ処理の概要を示す説明図である。
【図２】製造仕様情報と面付テンプレートと後工程にて行なうべき作業情報の対応付けを示すテーブルである。
【図３】面付テンプレート（ＩＤ１）にて得られる刷版の説明図である。
【図４】面付テンプレート（ＩＤ２）にて得られる刷版の説明図である。
【図５】面付テンプレート（ＩＤ１）を使用した場合の、後の作業工程の説明図である。
【図６】面付テンプレート（ＩＤ２）を使用した場合の、後の作業工程の説明図である。
【図７】面付装置１０の構成と、面付装置１０と他の装置とのネットワーク構成を示す説明図である。
【図８】制御部１１の処理を示すフローチャートである。
【図９】絵柄面積率の計算方法の説明図である。
【図１０】面付テンプレートの優先順位表示の一例である。
【図１１】面付テンプレートの優先順位表示の一例である。
【発明を実施するための形態】
【００２０】
以下、本発明の面付装置の好適な実施の形態を、添付図面に基づいて説明する。なお、本実施形態は自動面付システムに含まれる面付装置に本発明を適用した場合について説明する。
【００２１】
＜１．自動面付システムの概要＞
図１は、面付装置１０におけるデータ処理の概要を示す説明図である。
【００２２】
面付装置１０は、パーソナルコンピュータ、ワークステーション等のデータ処理装置のハードウェアとソフトウェアによって構成することができる。なお、面付装置１０の構成と機能については、後に詳述する。
【００２３】
予定データ２は、生産計画装置（図示せず）によって生成され、ページデータ３は製版装置（図示せず）によって生成される。その生産計画装置と製版装置と面付装置１０とはＬＡＮ（local area network）等のネットワークによってデータ転送が可能となっており、面付装置１の後述する通信部がネットワークを介して予定データ２とページデータ３を取得する。
【００２４】
予定データ２は、たとえば、注番（受注番号、オーダＩＤ）と印刷機械番号と印刷媒体のサイズの属性値を有する。印刷媒体は、印刷用紙や印刷用フィルム等である。すなわち、予定データ２は、注番に対応して使用を予定している印刷機械番号と用紙サイズ等が記録されたテーブルである。ページデータ３は、面付する各ページのデータであり、文字、図形、写真、等の異なる生成過程を有するデータが合体したデータである。ページデータ３は、たとえば、ポストスクリプト（PostScript）等のページ記述言語により記述されるデータである。
【００２５】
これら予定データ２とページデータ３とともに、面付装置１はアクセサリ情報４と仕様データ５とに基づいて自動計算を行って後に詳述する刷版イメージデータ７を作成する。この自動計算は面付装置１０によって行われる。なお、面付装置１０による自動計算手法については、特許文献１に詳細に開示されているため、説明は省略する。
【００２６】
アクセサリ情報４は、印刷工程、加工工程、等において必要とされる印刷見当マーク、折り見当マーク、階調スケール、等の付加情報である。アクセサリ情報４は、たとえば、アクセサリＩＤと名称とアクセサリイメージデータの属性値を有する。すなわち、アクセサリ情報４は、アクセサリＩＤに対応してその実体であるイメージデータが記録されたテーブルである。
【００２７】
仕様データ５は、製造仕様５ａと、印刷機仕様５ｂと、印刷機別アクセサリ仕様５ｃと、品目別アクセサリ仕様５ｄとを有する。これらのアクセサリ情報４と仕様データ５は、面付装置１の後述する記憶部に保存管理されている。
【００２８】
予定データ２とページデータ３とアクセサリ情報４と仕様データ５とは、データ形式をリレーショナルデータベースのテーブルとすることができる。このようにデータベースとすることにより、保存管理（検索処理、更新処理、等）を容易にすることができる。なお、予定データ２、ページデータ３、アクセサリ情報４及び仕様データ５の具体例については、特許文献１に詳細に開示されているため説明を省略する。
【００２９】
刷版イメージデータ７は、上記のデータに基づいて面付装置１０の後述する制御部が自動計算を行なうことにより作成される。刷版イメージデータ７は、ダイレクト刷版のための、すなわちＰＳ版等に直接的に印刷画像を形成して印刷版を作製するデータである。この印刷版の作製は出力機２０（カラープリンタ８、ＣＴＰ（computer-to-plate）システム９（後述する図７参照）等）によって行われる。
【００３０】
刷版イメージデータ７は、出力機２０が扱うデータ形式に合致するようにデータ変換手段（図示せず）によって変換される。面付装置１０は、たとえば、ＲＩＰ（raster image processor）処理を行ってラスタイメージデータとして、または、ポストスクリプト（PostScript）、ＴＩＦＦ（tagged image file format）にデータ形式を変換して、出力機２０としてのカラープリンタ８又はＣＴＰシステム９に刷版イメージデータ７を出力する。
【００３１】
本実施形態では、面付装置１０は、上記各データに基づいて同一の製品が得られる複数の面付テンプレートを生成する。そして、各面付テンプレートにページデータ３をレイアウトして刷版候補イメージデータ６を夫々作成する。刷版候補イメージデータ６は、面付テンプレートの数だけ作成される。つまり、同一の製品が得られる面付テンプレート（ＩＤ１）、（ＩＤ２）がある場合には、夫々の面付テンプレートに基づいて刷版候補イメージデータ６（ＩＤ１）と刷版候補イメージデータ（ＩＤ２）が作成される。刷版候補イメージデータ６（ＩＤ１）、（ＩＤ２）は、後に詳述する絵柄面積率の計算処理を行なうことができればどのような形式のイメージデータであってもよい。なお、以下の説明において、上記各データのうち、面付テンプレートを生成する元と成るデータを「製造仕様情報」と言う。
【００３２】
図２は、製造仕様情報と、当該製造仕様情報に従って同一の製品を得ることができる複数の面付テンプレートと、当該面付テンプレートを使用（決定）した場合に後工程にて行なうべき作業情報と、の対応づけ示すテーブルであり、製造仕様情報に基づいて生成される面付テンプレートと、上記作業情報とを、対応付けたテーブルの一例である。後工程とは、加工工程、折加工等である。
【００３３】
以下、図面を用いて説明する。
【００３４】
例えば、図２の「Ａ４チラシ、単ページ、綴じなし・・・」の製造仕様情報に従って製品（チラシ）を作成する場合には、２種類の面付テンプレート（ＩＤ１）と面付テンプレート（ＩＤ２）を生成することができる。換言すれば、面付テンプレート（ＩＤ１）と面付テンプレート（ＩＤ２）のどちらを利用しても「Ａ４チラシ、単ページ、綴じなし・・・」の製造仕様情報に従った同じ製品（チラシ）を作成することができる。
【００３５】
図３は、面付テンプレート（ＩＤ１）にて得られる刷版の説明図である。図３（Ａ）は、面付テンプレート（ＩＤ１）にて得られる刷版（表）であり、ページデータ１が多面付けされている。図３（Ｂ）は、面付テンプレート（ＩＤ１）にて得られる刷版（裏）であり、ページデータ２が多面付けされている。
【００３６】
図４は、面付テンプレート（ＩＤ２）にて得られる刷版の説明図である。図４（Ａ）は、面付テンプレート（ＩＤ２）にて得られる刷版（表）であり、上段に４つのページデータ２が面付されており、下段に４つのページデータ１が面付されている。図４（Ｂ）は、面付テンプレート（ＩＤ２）にて得られる刷版（裏）であり、上段に４つのページデータ１が面付されており、下段に４つのページデータ２が面付されている。
【００３７】
ページデータ１は、チラシの第１ページに相当し、ページデータ２は、チラシの第２ページに相当する。また、第１ページと第２ページは、チラシの表と裏に相当する。
【００３８】
図５は、面付テンプレート（ＩＤ１）（図３）を使用した場合の、後の作業工程の説明図である。
【００３９】
面付装置１０は、後に詳述する「面付テンプレート決定手順」に従って図３の面付テンプレート（ＩＤ１）を使用する面付テンプレートとして決定すると、面付テンプレート（ＩＤ１）に従い、予定データ２とページデータ３とアクセサリ情報４と仕様データ５に基づいて自動計算を行なって刷版イメージデータ７を作成する。そして、面付装置１０は、刷版イメージデータ７を、出力機２０に送信する。その後、図５に示すように、刷版イメージデータ７に従って作成された刷版により、印刷がされ（印刷工程）、加工工程を経て、製品（チラシ）が作成される。加工工程は、断裁工程と積上げ工程からなる。図２を参照すると、面付テンプレート（ＩＤ１）に対応する「後工程にて行なうべき作業情報」は、「標準」であるので、断裁後の用紙をそのまま（断裁後の用紙の表裏を維持したまま）積み上げる。
【００４０】
図６は、面付テンプレート（ＩＤ２）（図４）を使用した場合の、後の作業工程の説明図である。
【００４１】
面付装置１０は、後に詳述する「面付テンプレート決定手順」に従って図４の面付テンプレート（ＩＤ２）を使用する面付テンプレートとして決定すると、上述したように、刷版イメージデータ７を作成し、出力機２０に送信する。その後、刷版イメージデータ７に従って作成された刷版により、印刷がされ（印刷工程）、加工工程を経て、製品（チラシ）が作成される。図２を参照すると、面付テンプレート（ＩＤ２）に対応する「後工程にて行なうべき作業情報」は、「断裁時、上半分は、表裏方向に返す」であることから、断裁後の用紙の上半分（刷版の上段に対応する用紙）の表裏を逆に積む。このように、後工程にて指定された作業を行うことで、面付テンプレート（ＩＤ１）を使用した場合と同一の製品（チラシ）を得ることができる。
【００４２】
なお、「後工程にて行なうべき作業情報」は、使用する面付テンプレートが決定されたときに、予め面付装置１０からネットワークを介して後工程（例えば、加工工程）を制御するコンピュータ等に通知されるよう構成すればよい。
【００４３】
＜２．面付装置１０の構成及び機能＞
次に、面付装置１０の構成及び機能について説明する。
【００４４】
図７は、面付装置１０の装置構成と、面付装置１０と他の装置とのネットワーク構成を示す説明図である。
【００４５】
面付装置１０は、制御部１１と、記憶部１２と、表示部１３、通信部１４、及び入力部１５を含んで構成される。
【００４６】
制御部１１は、コンピュータとして機能し、演算機能を有するＣＰＵ，作業用ＲＡＭ，各種データおよびプログラムを記憶するＲＯＭ等から構成される。
【００４７】
記憶部１２は、各種データ（例えば、アクセサリ情報４と仕様データ５、上位情報系装置３０から取得した予定データ２とページデータ３）及び各種プログラム（本発明の面付テンプレート決定プログラムを含む）等を記憶保存（格納）するためのＨＤ（ＨａｒｄＤｉｓｋ）等から構成される。
【００４８】
表示部１３は、製造仕様情報の入力画面、後述する絵柄面積率の計算結果表示画面、及び作成した刷版候補イメージデータ６等を表示する液晶ディスプレイ、ＣＲＴ等である。
【００４９】
通信部１４は、ネットワークを介して出力機２０や上位情報系装置３０と情報の通信制御を行なうためのものである。通信部１４は、上位情報系装置３０から予定データ２とページデータ３とを受信して記憶部１２に記憶し、生成した刷版候補イメージデータ６を出力機２０に出力する。
【００５０】
入力部１５は、面付装置１０を操作する作業者からの指示を受け付け当該指示に応じた指示信号を制御部１１に対して与えるものであり、例えば、キーボード、マウス、或いは、操作パネル等により構成される。
【００５１】
制御部１１、記憶部１２、表示部１３、通信部１４、及び入力部１５はバスを介して相互に接続されている。
【００５２】
このような構成において、制御部１１が、ＣＰＵが記憶部１２等に記憶されたプログラム（本発明の面付テンプレート決定プログラムを含む）を読み出して実行することにより、本発明の面付装置として機能する。
【００５３】
なお、面付テンプレート決定プログラムは、例えば、ネットワーク上の所定のコンピュータ等からダウンロードされるようにしてもよいし、例えば、ＣＤ−ＲＯＭ等の記録媒体に記録されて当該記録媒体のドライブを介して読み込まれるようにしても良い。
【００５４】
上位情報系装置３０は、予定データ２とページデータ３とを保存管理している。一般に、予定データ２は生産計画装置によって生成され、ページデータ３は製版装置によって生成される。上位情報系装置３０は、生産計画装置や製版装置の機能を有するか、または、それらの装置から予定データ２とページデータ３とを入力して保存管理する。そして、面付装置１０は、イーサーネット等のＬＡＮ（local area network）やインターネット等の各種ネットワークを介して、予定データ２とページデータ３を上位情報系装置３０から受信（取得）する。そして、面付装置１は、予定データ２とページデータ３を記憶部１２に記憶する。
【００５５】
面付装置１０は、製造仕様情報に従って、同一の製品を得ることができる複数の面付テンプレートを生成する。そして、面付装置１０は、後述する「面付テンプレート決定手順」に従って、決定した面付テンプレートに基づいて、刷版イメージデータ７を作成し、ネットワークを介して出力機２０（カラープリンタ８又はＣＴＰシステム９）に出力する。
【００５６】
＜３．面付テンプレート決定手順＞
続いて、面付テンプレート決定手順について説明する。ここでは、各面付テンプレートに基づいて刷版候補イメージデータ６を夫々作成し、作成された刷版候補イメージデータに基づいて刷版における幅方向の絵柄面積率を計算した場合の例について説明する。
【００５７】
面付装置１０のコンピュータとしての制御部１１の処理を、図を参照して説明する。
【００５８】
図８は、面付装置１０における制御部１１の処理を示すフローチャートであり、作業者によって面付け処理の開始が指示されることにより制御部１１が記憶部１２に記憶した面付テンプレート決定プログラムを読み出して処理を開始する。
【００５９】
先ず、制御部１１は、製造仕様情報を取得する（ステップＳ１）。製造仕様情報は、予め記憶部１２に記憶されている製造仕様情報を取得する。又は、表示部１３に製造仕様情報の入力画面を表示させ、作業者が作業指示書を確認しながら、面付装置１０の入力部１５を操作して、製造仕様情報を入力してもよい。
【００６０】
次に、制御部１１は、生成手段として機能し、ステップＳ１にて取得した製造仕様情報に基づいて同一の製品が得られる複数の面付テンプレートを生成する（ステップＳ２）。
【００６１】
続いて、制御部１１は、作成手段として機能し、予め上位情報系装置３０から取得して記憶部１２に記憶していたページデータ３を、ステップＳ２にて生成した複数の面付テンプレートの夫々に従ってレイアウトし、刷版候補イメージデータ６を夫々作成する（ステップＳ３）。
【００６２】
そして、制御部１１は、絵柄面積率計算手段として機能し、ステップＳ３にて作成した各刷版候補イメージデータ６の絵柄面積率を計算する（ステップＳ４）。具体的には、各刷版候補イメージデータ６について、刷版における用紙の幅方向を所定の間隔で区分して成る複数の帯領域の絵柄面積率をそれぞれ計算する。用紙の幅方向とは、印刷工程における用紙の搬送方向（天地方向）に直交する方向であり、用紙の左右方向と呼ばれることもある。
【００６３】
図９は、絵柄面積率の計算方法の説明図である。
【００６４】
図９（Ａ）に示すように、複数の帯領域は、左側から第１帯領域、第２帯領域、第３帯領域・・・第ｎ帯領域に区分されている。各帯領域は、所定の間隔で均等に区分されることが好ましい。
【００６５】
制御部１１は、各帯領域に対応する絵柄面積率を計算する。なお、絵柄面積率の具体的な計算方法は、特許文献２及び特許文献３に詳細に開示されているため、説明は省略する。
【００６６】
続いて、制御部１１は、差分計算手段として機能し、複数の帯領域の各絵柄面積率の最大値と最小値の差分を計算する（ステップＳ５）。図９（Ｂ）に示す例では、第５帯領域にて最大の絵柄面積率を有し、第６、第７帯領域にて最小の絵柄面積率を有する。
【００６７】
このように、ステップＳ４及びステップＳ５では、ステップＳ３にて作成した刷版候補イメージデータ６の夫々について、絵柄面積率を計算して、複数の帯領域の各絵柄面積率の最大値と最小値の差分を計算する。
【００６８】
次に、制御部１１は、ステップＳ３にて作成した刷版候補イメージデータ６のうち、ステップＳ５にて計算された差分が、最も小さい刷版候補イメージデータ６を選択する（ステップＳ６）。
【００６９】
そして、制御部１１は決定手段として機能し、選択された刷版候補イメージデータ６の元となった面付テンプレートを、刷版に使用する面付テンプレートとして決定し（ステップＳ７）、処理を終了する。
【００７０】
ステップＳ７にて決定された面付テンプレートに従い、各種データがレイアウトされ、刷版イメージデータ７が作成される。その後の処理は上述したとおりであり、決定された面付テンプレートに対応する「後工程にて行なうべき作業情報」に従って、後工程を行なう。
【００７１】
このように、面付装置１０を、ページデータ３と、同一の製品が得られる複数の面付テンプレートに基づいて、刷版における用紙の幅方向を所定の間隔で区分して成る複数の帯領域の絵柄面積率を計算した。具体的には、ページデータ３を各面付テンプレートにレイアウトして刷版候補イメージデータ６を夫々作成し、絵柄面積率を計算した。そして、複数の帯領域の各絵柄面積率の最大値と最小値の差分が最も小さい面付テンプレートを、使用する面付テンプレートとして決定するよう構成した。
【００７２】
これにより、面付装置１０が、ゴースト（濃度ムラ）の発生を回避することができる面付テンプレートを自動で決定し、刷版に使用することができる。
【００７３】
＜４−１．変型例１＞
上述した実施形態では、複数の帯領域の各絵柄面積率の最大値と最小値の差分が最も小さい面付テンプレートを自動で選択し、刷版に使用する面付テンプレートとして決定したが、複数の面付テンプレートについて、対応する各刷版候補イメージデータ６の絵柄面積率の計算結果に基づく優先順位を、「後工程にて行なうべき作業情報」と共に表示部１３に表示し、作業者により一の面付テンプレートの選択（入力）を受け付けるよう構成してもよい。
【００７４】
図１０及び図１１は、面付テンプレートの優先順位表示の一例である。
【００７５】
図１０は、図２の製品（チラシ）「Ａ４チラシ、単ページ、綴じなし・・・」の製造仕様情報に従って製品（チラシ）を作成する場合における面付テンプレート（ＩＤ１）の刷版候補イメージデータ６（ＩＤ１）の絵柄面積率の計算結果を表示している。図１１は、図１０と同一の製品を作成する場合における面付テンプレート（ＩＤ２）の刷版候補イメージデータ６（ＩＤ２）の絵柄面積率の計算結果を表示している。
【００７６】
制御部１１は、設定手段として機能し、上記ステップＳ５にて、刷版候補イメージデータ６（ＩＤ１）の複数の帯領域の各絵柄面積率の最大値と最小値の差分と、刷版候補イメージデータ６（ＩＤ２）の複数の帯領域の各絵柄面積率の最大値と最小値の差分とを比較し、差分が小さいほうから順に優先的に選択されるよう、優先順位を設定する。例えば、刷版候補イメージデータ６（ＩＤ１）の複数の帯領域の各絵柄面積率の最大値と最小値の差分のほうが、刷版候補イメージデータ６（ＩＤ２）の複数の帯領域の各絵柄面積率の最大値と最小値の差分よりも小さい場合には、面付テンプレート（ＩＤ１）を優先順位「１」、面付テンプレート（ＩＤ２）を優先順位「２」とする。
【００７７】
そして、制御部１１は、設定した優先順位を、優先順位情報として各面付テンプレート（ＩＤ１）及び（ＩＤ２）の情報と対応付けて記憶部１２に記憶する。この際、図２に示すテーブルデータに対応付けて記憶してもよい。その後、制御部１１は、表示手段として機能し、設定された優先順位を表示部１３に表示する。
【００７８】
図１０及び図１１に示す例では、タグに優先順位を表示し、図中左から優先順位を昇順に表示している。また、図１０及び図１１に示す例では、作業者が入力手段１５を操作してカーソルにて各タグを選択することにより、全ての面付テンプレートの刷版候補イメージデータ６の絵柄面積率の計算結果をグラフにて確認することができるよう構成している。
【００７９】
更に、制御部１１は、図１０及び図１１に示す様に、それぞれの面付テンプレートを使用する面付テンプレートとして決定したの「後工程にて行なうべき作業情報」を作業情報として表示部１３に表示する。
【００８０】
その後、制御部１１は、入力手段として機能し、図１０及び図１１の表示にて、優先順位と作業情報を確認した作業者が、入力部１５を操作して決定ボタンを選択することにより、一の面付テンプレートの選択入力を受け付ける。そして、制御部１１は、選択された面付テンプレートを、使用する面付テンプレートとして決定する。
【００８１】
この構成によれば、作業者が、同一の製品が得られる複数の面付テンプレートのうち、ゴースト（濃度ムラ）の発生を回避することができる面付テンプレートの優先順位を確認しつつ、更に、それぞれの面付テンプレートを使用する面付テンプレートとして決定した場合の「後工程にて行なうべき作業情報」を作業情報として確認した上で、面付テンプレートを選択することができる。
【００８２】
従って、作業者が、優先順位１の面付テンプレートを使用する面付テンプレートとして選択することもできるし、優先順位１の面付テンプレートを使用する面付テンプレートとして決定してしまうと、後工程にて行なうべき作業が複雑だったり、時間がかかる作業である場合等には、優先順位が低い（例えば優先順位２や３の）面付テンプレートを選択することも可能になる。
【００８３】
また、単に面付テンプレートの優先順位を表示するだけでなく、図１０及び図１１に示す様に、優先順位の順番で（例えば昇順に）表示すれば、面付テンプレートが多数ある場合にも作業者にとって見やすく選択しやすい。
【００８４】
更に、図１０及び図１１に示す様に、絵柄面積率の計算結果をグラフ表示することにより、作業者は、刷版における用紙の幅方向の絵柄面積率の変化を目視にて確認することができるので、より詳細な情報に基づいて面付テンプレートを選択することができる。
【００８５】
＜４−２．変型例２＞
上述した実施形態では、面付テンプレートにページデータ３をレイアウトして、刷版候補イメージデータ６を夫々作成し、当該刷版候補イメージデータ６を用いて絵柄面積率を計算したが、刷版候補イメージデータ６を作成することなく、刷版における絵柄面積率を求めてもよい。
【００８６】
制御部１１は、ページデータ３に従い各ページの絵柄面積率を予め求めておき、当該絵柄面積率をページデータ３に付加して記憶部１２に記憶させておく。
【００８７】
そして、制御部１１は、各面付テンプレートの刷版における用紙の幅方向を所定の間隔で区分して成る複数の帯領域の絵柄面積率を求める際、ページデータ３から絵柄面積率の情報だけを記憶部１２から取得して、ページデータ３をレイアウトした際の刷版における絵柄面積率を求める。そして、複数の帯領域の各絵柄面積率の最大値と最小値の差分が最も小さい面付テンプレートを、使用する面付テンプレートとして決定する。
【００８８】
これによれば、刷版候補イメージデータ６を作成することなく、ページデータ３に含まれる絵柄面積率と面付テンプレートに基づいて、刷版における絵柄面積率を計算することができるため、作業の効率化を図ることができる。なお、予め求めておいた各ページの絵柄面積率に基づいて刷版における絵柄面積率を計算する具体的な手法は、例えば特許文献３に詳細に開示されているため説明を省略する。
【符号の説明】
【００８９】
１０  面付装置
１１  制御部
１２  記憶部
１３  表示部
１４  通信部
１５  入力部
２  予定データ
３  ページデータ
４  アクセサリ情報
５  仕様データ
５ａ  製造仕様
５ｂ  印刷機仕様
５ｃ  印刷機別アクセサリ仕様
５ｄ  品目別アクセサリ仕様
６  刷版候補イメージデータ
７  刷版イメージデータ
２０  出力機
８  カラープリンタ
９  ＣＴＰシステム
３０  上位情報系装置
【図１】
2011003092.tif 000003
【図２】
2011003092.tif 000004
【図３】
2011003092.tif 000005
【図４】
2011003092.tif 000006
【図５】
2011003092.tif 000007
【図６】
2011003092.tif 000008
【図７】
2011003092.tif 000009
【図８】
2011003092.tif 000010
【図９】
2011003092.tif 000011
【図１０】
2011003092.tif 000012
【図１１】
2011003092.tif 000013